(57)【要約】      （修正有）【課題】埃の付着や素材の傷み、また、色あせを防ぎ保管場所が整然とする使い勝手の良い靴用埃よけカバーを提供する。【解決手段】カバー部１と点線斜線の底部２は合成樹脂製不織布からなり、カバー部は前方部分が湾曲した馬蹄形で構成され靴５の上面全体を覆い、靴の底面が載る底部は、カバー部のつま先側に結合されてかかと側に向かって開口し、開口はカバー部のつま先から３分の１以上、かつ、３分の２以内に位置している。【選択図】図３
0003184226.tif 000002
【実用新案登録請求の範囲】
【請求項１】
靴の上面全体を覆うカバー部と、靴の底面が載る底部からなり、靴が収納できる靴用埃よけカバー。
【請求項２】
前記カバー部及び前記底部は合成樹脂製不織布からなり、前記カバー部は前方部分が湾曲した馬蹄形で構成され、前記底部は前記カバー部のつま先側に結合されてかかと側に向かって開口し、前記開口は前記カバー部のつま先から３分の１以上、かつ、３分の２以内に位置していることを特徴とする請求項１の靴用埃よけカバー。
【請求項３】
前記カバー部は靴の上面全体を覆い、靴のつま先より中心部までが前記底部に載ることを特徴とする請求項１又は２の靴用埃よけカバー。
【請求項４】
前記カバー部と前記底部が、目付け３０〜４０ｇ／ｍ２の合成樹脂製不織布である請求項１、２又は３の靴用埃よけカバー。
【考案の詳細な説明】
【技術分野】
【０００１】  本考案は、靴を保管する際に埃の付着や素材の傷み、また、色あせを防ぎ保管場所が整然とする靴用埃よけカバーに関するものである。
【背景技術】
【０００２】  靴収納場所がなく靴を玄関で保管すると、靴に埃が付き素材の傷みや色あせをしていた。また、埃を被った靴があると来客や家人に不快感を与えていた。
【考案の概要】
【考案が解決しようとする課題】
【０００３】  本考案は靴収納場所がない場合、靴を玄関に置いたままでも埃の付着や素材の傷み、色あせの問題を解決しようとするものである。【０００４】  人が出入りする玄関に埃を被った靴があると、来客や家人に不快感を与えるという問題を解決する靴用埃よけカバーを提供する。
【課題を解決するための手段】
【０００５】  本考案の靴用埃よけカバーは、靴の上面全体を覆うカバー部と、靴の底面が載る底部からなり、靴を収納する事により埃の付着や素材の傷み、色あせを防ぐ事ができる。また、これにより埃を被った靴を目にする事がなく、玄関が不快ではなくなる。【０００６】  上記カバー部の前方部分を湾曲した馬蹄形で構成することができ、これにより靴のつま先が湾曲部分に収まり、左右の靴が中央に寄り合い保管スペースが省かれる。【０００７】  また、上記底部は、カバー部のつま先側に結合されてかかと側に向かって開口し、開口はカバー部のつま先から３分の１以上、かつ、３分の２以内に位置している事が好ましく、これにより靴が容易に出し入れできる。そして、前記カバー部は靴の上面全体を覆い、靴のつま先より中心部までが前記底部に載る事が好ましく、これにより靴用埃よけカバーが靴からずれ難い。【０００８】  本考案の靴用埃よけカバーの材質は、カバー部と底部が目付け３０〜４０ｇ／ｍ２の合成樹脂製不織布で、構成されている事がより好ましい。目付け３０〜４０ｇ／ｍ２の合成樹脂製不織布は適度の通気性と耐光性を有し、靴がより良い状態で保管できる。材質に特に制限はなくそれ以外にもビニール、布、その他の材料を用いることができる。
【考案の効果】
【０００９】  本考案の靴用埃よけカバーは埃の付着、素材の傷みや色あせを防ぐ事ができ、埃を被った靴を目にする事がなく、玄関が不快ではなくなる。また、靴の出し入れも容易で、靴からずれ難く、収納された左右の靴は中央に寄り合い保管スペースが省かれる。さらに、本考案の靴用埃よけカバーは、簡単な工程で製造する事ができコストが抑えられ、少ない費用で輸送し保管できる。
【図面の簡単な説明】
【００１０】
【図１】本考案の靴用埃よけカバーの上面側から見た平面図である。
【図２】本考案の靴用埃よけカバーの底面側から見た平面図である。
【図３】本考案の靴用埃よけカバーに靴を収納した１例を示す概略斜視図である。
【図４】図３の収納状態を底面側から見た概略図である。
【考案を実施するための形態】
【００１１】  図１は、本考案の靴用埃よけカバーの上面側から見た平面図である。本態様の靴用埃よけカバーはカバー部１と点線斜線の底部２からなり、カバー部は前方部分が湾曲した馬蹄形で構成する事ができ、底部はカバー部のつま先側に結合されてかかと側に向かって開口している。結合の幅は５ｍｍ以内とし結合の手段に制限は無い。図２は、本考案の靴用埃よけカバーの底面側から見た平面図である。実線斜線の底部の開口縁３はカバー部１のつま先から２分の１に位置している事が好ましく、これにより靴が容易に出し入れできる。図３は本考案の靴用埃よけカバーに靴を収納した１例を示す概略斜視図である。本態様の靴用埃よけカバーは、カバー部１で靴５の上面全体を覆い、カバー部のかかと縁４より靴を収納する。これにより埃の付着や素材の傷み、色あせを防ぐ事ができ、埃を被った靴を目にする事がなく、玄関が不快ではなくなる。また、図示した様に靴のつま先が前方の湾曲部分に収まり、左右の靴が中央に寄り合い保管スペースが省かれる。図４は図３の収納状態を底面側から見た概略図である。図４に示す様に、靴５のつま先より中心部までが実線斜線の底部２に載る事が好ましく、これにより靴用埃よけカバーが靴からずれ難い。
【００１２】  本考案の靴用埃よけカバーの材質は、カバー部と底部が目付け３０〜４０ｇ／ｍ２の合成樹脂製不織布で構成されている事がより好ましい。目付け３０〜４０ｇ／ｍ２の合成樹脂製不織布は適度の通気性と耐光性を有し、靴がより良い状態で保管できる。
【００１３】  以下に実施例を挙げて本考案を詳細に説明するが、本考案はこれらの実施例により何ら限定されるものではない。目付け３０ｇ／ｍ２合成樹脂製不織布から女性用として、靴のサイズ２３ｃｍとして規定されるカバー部は、前方部分に半径１２ｃｍの半円を有し、幅２４ｃｍ、つま先からの長さ３０ｃｍの馬蹄形カバー部１枚と、底部は、カバー部と同じく前方部分に半径１２ｃｍの半円を有し幅２４ｃｍ、つま先からの長さはカバー部の２分の１の１５ｃｍの底部１枚を切り出した。次に図３に示す様に、接着させる幅は５ｍｍ以内とし接着手段に制限は無く、底部をカバー部のつま先側に接着させ、かかと側に向かって開口している靴用埃よけカバーを作製した。前記と同じ目付け３０ｇ／ｍ２合成樹脂製不織布を用いて、男性用として靴のサイズ２６ｃｍとして規定されるカバー部は、前方部分に半径１５ｃｍの半円を有し、幅３０ｃｍ、つま先からの長さ３４ｃｍの馬蹄形カバー部１枚と、底部は、カバー部と同じく前方部分に半径１５ｃｍの半円を有し幅３０ｃｍ、つま先からの長さはカバー部の２分の１の１７ｃｍの底部１枚を切り出した。次に図３に示す様に、接着させる幅は５ｍｍ以内とし接着手段に制限は無く、底部をカバー部のつま先側に接着させ、かかと側に向かって開口している靴用埃よけカバーを作製した。本考案の靴用埃よけカバーは、カバー部で靴の上面全体を覆い、靴のつま先より中心部までが底部に載りカバー部のかかと縁より靴を収納する。玄関でこの靴用埃よけカバーを試用した所、埃の付着や素材の傷み、また、色あせを防ぎ、使い勝手ともに良好で、保管場所も整然とされた。
【００１４】  今回は２分の１の例を示したが、３分の１から３分の２に変更できる。また、合成樹脂製不織布を紹介したが、それ以外にもビニール、布、その他の材料を用いることができる。そして、本考案の靴用埃よけカバーは、簡単な工程で製造することができ様々なサイズに加工しやすく、生産のコストが抑えられる。また、靴用埃よけカバーの材質である合成樹脂製不織布は軽量であり、少ない費用で輸送し保管することができる。
【符号の説明】
【００１５】１  カバー部
２  底部
３  底部の開口縁
４  カバー部のかかと縁
５  靴
【図１】
0003184226.tif 000003
【図２】
0003184226.tif 000004
【図３】
0003184226.tif 000005
【図４】
0003184226.tif 000006